(57)【要約】【課題】  短距離無線音声放送と照明機能を発揮でき、また、自動周波数変換と干渉防止特性を実現され、騒音を防止でき、また、受信機構を利用して、即時に、送信機構へ遭難信号を送信して非常呼び出しができ、また、無線放送や照明、監視制御及び遭難機能が統合される手持ち式無線音声放送と照明遭難監視制御装置を提供する。【解決手段】送信機構と送信機構に連結された受信機構とが含有され、上記送信機構と受信機構は、それぞれ、処理モジュールと処理モジュールに接続された操作部、処理モジュールに接続された入力ポート、処理モジュールに接続された出力ポート、処理モジュールに接続された電源ユニット及び処理モジュールに接続された発光ユニット、が含有される。【選択図】図１
0003174124.tif 000002
【実用新案登録請求の範囲】
【請求項１】
処理モジュールと、処理モジュールに接続された操作部と、処理モジュールに接続された入力ポートと、処理モジュールに接続された出力ポートと、処理モジュールに接続された電源ユニットと、処理モジュールに接続された発光ユニットとが、含有される送信機構と、
送信機構に連結され、処理モジュールと、処理モジュールに接続された操作部と、処理モジュールに接続された入力ポートと、処理モジュールに接続された出力ポートと、処理モジュールに接続された電源ユニットと、処理モジュールに接続された発光ユニットとが、含有される少なくとも一つの受信機構と、
が備えられる、
ことを特徴とする手持ち式無線音声放送と照明遭難監視制御装置。
【請求項２】
上記送信機構と受信機構は、更に、それぞれ、ケーシングがあり、上記処理モジュールや操作部、入力ポート、出力ポート、電源ユニット及び発光ユニットが、それぞれ、各ケーシングに結合されることを特徴とする請求項１に記載の手持ち式無線音声放送と照明遭難監視制御装置。
【請求項３】
上記送信機構の処理モジュールは、音声サンプリング／再建ユニットと、音声サンプリング／再建ユニットに接続されたローカルエリアネットワークユニットと、ローカルエリアネットワークユニットに接続された信号拡大ユニットと、信号拡大ユニットに接続されたアンテナとが、含有されることを特徴とする請求項１に記載の手持ち式無線音声放送と照明遭難監視制御装置。
【請求項４】
上記音声サンプリング／再建ユニットとローカルエリアネットワークユニットとは、同期に、直列接続インターフェース（ＳＰＩ）によって互いに接続されることを特徴とする請求項３に記載の手持ち式無線音声放送と照明遭難監視制御装置。
【請求項５】
上記ローカルエリアネットワークユニットは、ＺｉｇＢｅｅチップであることを特徴とする請求項３に記載の手持ち式無線音声放送と照明遭難監視制御装置。
【請求項６】
上記アンテナは、ＺｉｇＢｅｅアンテナであることを特徴とする請求項３に記載の手持ち式無線音声放送と照明遭難監視制御装置。
【考案の詳細な説明】
【技術分野】
【０００１】
本考案は、手持ち式無線音声放送と照明遭難監視制御装置に関し、特に、短距離無線音声放送と照明機能を発揮でき、自動周波数変換と干渉防止特性を実現でき、騒音を防止でき、送信機構で、即時に遭難信号を受信機構へ送って非常呼び出しを行え、無線放送や照明、監視制御及び遭難機能を統合したものに関する。
【背景技術】
【０００２】
既存の市販のマイクや拡声器及び放送器は、一方向に有線接続され、無線機能を有するマイク（放送器）であっても、干渉により、騒音が発生し、ユーザーは、マイクの交換や位置の変更を行わなければならなく、そのため、ユーザーにとって非常に不便であり、また、マイク（放送器）の電池を、時々交換しなければならないため、コストが高くなる。
【０００３】
また、従来のマイクや拡声器及び放送器は、音声伝送拡大だけの機能を発揮でき、他の機能が、統合されていないため、不実用的である。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、短距離無線音声放送と照明機能を発揮でき、自動周波数変換と干渉防止特性を実現でき、騒音を防止でき、送信機構で、即時に遭難信号を受信機構へ送って非常呼び出しを行え、無線放送や照明、監視制御及び遭難機能を統合した手持ち式無線音声放送と照明遭難監視制御装置を提供する。
【課題を解決するための手段】
【０００６】
本考案は、上記の目的を達成するための手持ち式無線音声放送と照明遭難監視制御装置であり、送信機構と、送信機構に連結された受信機構とを有し、上記送信機構と受信機構とは、それぞれ、処理モジュールと処理モジュールに接続された操作部、処理モジュールに接続された入力ポート、処理モジュールに接続された出力ポート、処理モジュールに接続された電源ユニット及び処理モジュールに接続された発光ユニットを有する。
【０００７】
本考案の一実施例において、上記送信機構と受信機構は、更に、それぞれ、ケーシングを有し、上記処理モジュールや操作部、入力ポート、出力ポート、電源ユニット及び発光ユニットが、それぞれ、ケーシングに結合される。
【０００８】
本考案の一実施例において、上記送信機構の処理モジュールは、音声サンプリング／再建ユニットや音声サンプリング／再建ユニットに接続されたローカルエリアネットワークユニット、ローカルエリアネットワークユニットに接続された信号拡大ユニット及び信号拡大ユニットに接続されたアンテナが、含有される。
【０００９】
本考案の一実施例において、上記音声サンプリング／再建ユニットとローカルエリアネットワークユニットは、同期に、直列接続インターフェース（ＳＰＩ）によって互いに接続される。
【００１０】
本考案の一実施例において、上記送信機構の処理モジュールのローカルエリアネットワークユニットは、ＺｉｇＢｅｅチップである。
【００１１】
本考案の一実施例において、上記送信機構の処理モジュールのアンテナは、ＺｉｇＢｅｅアンテナである。
【００１２】
本考案の一実施例において、上記送信機構の操作部は、電源スウィッチやミュートボタン、電源指示灯及び信号指示灯が、含有される。
【００１３】
本考案の一実施例において、上記送信機構と受信機構の発光ユニットは、発光体とスウィッチが含有される。
【００１４】
本考案の一実施例において、上記発光体は、ＬＥＤやバブルである。
【００１５】
本考案の一実施例において、上記送信機構と受信機構は、入力ポートに、マイクが接続される。
【００１６】
本考案の一実施例において、上記送信機構と受信機構は、出力ポートに、スピーカーが接続される。
【００１７】
本考案の一実施例において、上記受信機構の処理モジュールは、音声再建ユニットや音声再建ユニットに接続されたローカルエリアネットワークユニット及びローカルエリアネットワークユニットに接続されたアンテナが、含有される。
【００１８】
本考案の一実施例において、上記音声再建ユニットとローカルエリアネットワークユニットは、同期に、直列接続インターフェース（ＳＰＩ）によって互いに接続される。
【００１９】
本考案の一実施例において、上記受信機構の処理モジュールは、ローカルエリアネットワークユニットが、ＺｉｇＢｅｅチップである。
【００２０】
本考案の一実施例において、上記受信機構の処理モジュールは、アンテナが、ＺｉｇＢｅｅアンテナである。
【００２１】
本考案の一実施例において、上記受信機構の操作部は、電源スウィッチとチェックインボタン、遭難ボタン、登録ボタン、電源指示灯及び信号指示灯が含有される。
【００２２】
以下、図面を参照しながら、本考案の特徴や技術内容について、詳しく説明するが、それらの図面等は、参考や説明のためであり、本考案は、それによって制限されることが無い。
【図面の簡単な説明】
【００２３】
【図１】本考案の外観概念図である。
【図２】本考案に係る送信機構の処理モジュールの概念図である。
【図３】本考案に係る受信機構の処理モジュールの概念図である。
【図４】本考案の適用状態の概念図である。
【考案を実施するための形態】
【００２４】
図１〜図４は、それぞれ、本考案の外観概念図と本考案に係る送信機構の処理モジュールの概念図、本考案に係る受信機構の処理モジュール概念図及び本考案の適用状態概念図である。図のように、本考案は、手持ち式無線音声放送と照明遭難監視制御装置であり、送信機構１と受信機構２とから構成される。
【００２５】
上記送信機構１は、処理モジュール１１や処理モジュール１１に接続された操作部１２、処理モジュール１１に接続された入力ポート１３、処理モジュール１１に接続された出力ポート１４、処理モジュール１１に接続された電源ユニット１５及び処理モジュール１１に接続された発光ユニット１６が含有され、上記送信機構１は、更に、ケーシング１７を有し、上記処理モジュール１１や操作部１２、入力ポート１３、出力ポート１４、電源ユニット１５及び発光ユニット１６が、上記ケーシング１７に結合され、また、上記処理モジュール１１は、音声サンプリング／再建ユニット１１１や音声サンプリング／再建ユニット１１１に接続されたローカルエリアネットワークユニット１１２、ローカルエリアネットワークユニット１１２に接続された信号拡大ユニット１１３及び信号拡大ユニット１１３に接続されたアンテナ１１４が含有され、また、上記音声サンプリング／再建ユニット１１１とローカルエリアネットワークユニット１１２が、同期に直列接続インターフェース（ＳＰＩ）によって互いに接続され、上記ローカルエリアネットワークユニット１１２は、ＺｉｇＢｅｅチップで、上記アンテナ１１４は、ＺｉｇＢｅｅアンテナであり、また、上記操作部１２は、電源スウィッチ１２１やミュートボタン１２２、電源指示灯１２３及び信号指示灯１２４が含有され、また、上記発光ユニット１６は、発光体１６１とスウィッチ１６２を有し、上記発光体１６１が、ＬＥＤやバブルである。
【００２６】
各受信機構２は、送信機構１に連結され、処理モジュール２１や処理モジュール２１に接続された操作部２２、処理モジュール２１に接続された入力ポート２３、処理モジュール２１に接続された出力ポート２４、処理モジュール２１に接続された電源ユニット２５及び処理モジュール２１に接続された発光ユニット２６が含有され、上記受信機構２は、更に、ケーシング２７を有し、上記処理モジュール２１や操作部２２、入力ポート２３、出力ポート２４、電源ユニット２５及び発光ユニット２６が、ケーシング２７に結合され、上記処理モジュール２１は、音声再建ユニット２１１や音声再建ユニット２１１に接続されたローカルエリアネットワークユニット２１２及びローカルエリアネットワークユニット２１２に接続されたアンテナ２１３が含有され、また、上記音声再建ユニット２１１とローカルエリアネットワークユニット２１２は、同期に、直列接続インターフェース（ＳＰＩ）によって互いに接続され、上記ローカルエリアネットワークユニット２１２が、ＺｉｇＢｅｅチップで、上記アンテナ２１３が、ＺｉｇＢｅｅアンテナであり、また、上記操作部２２は、電源スウィッチ２２１やチェックインボタン２２２、遭難ボタン２２３、登録ボタン２２４、電源指示灯２２５及び信号指示灯２２６が含有され、また、上記発光ユニット２６は、発光体２６１とスウィッチ２６２が含有され、また、上記発光体２６１は、ＬＥＤやバブルである。
【００２７】
本考案によれば、上記送信機構１と受信機構２の入力ポート１３、２３と出力ポート１４、２４に、それぞれ、マイクとスピーカー（図に未表示）が接続され、これにより、送信機構１と受信機構２で、放送を行うことができ、また、連結状態下、送信機構１で、複数の受信機構２に、登録やチェックイン、遭難、照明、放送、監視制御と自動周波数変換を行うことができ、また、送信機構１と受信機構２の電源スウィッチ１２１、２２１が、オン状態になると、電源ユニット１５、２５により、送信機構１と受信機構２に必要された電力が供給され、この時、各電源指示灯１２３、２２５が、点灯状態になり、また、送信機構１や受信機構２は、作動する時、それぞれ、送信機構１の処理モジュール１１の音声サンプリング／再建ユニット１１１とローカルエリアネットワークユニット１１２、信号拡大ユニット１１３及びアンテナ１１４で、受信機構２の処理モジュール２１の音声再建ユニット２１１とローカルエリアネットワークユニット２１２及びアンテナ２１３等の素子に合わせて、連結と関連する作動処理を行い、また、両者の間においての連結が、８０２．１５．４プロトコルに基づく。以下、各作動状況について説明する。
【００２８】
（１）登録：上記受信機構２が、送信機構１に登録してから、上記送信機構から、音声を受信でき、その登録プロセスは、次のとおりであり、
受信機構２の登録ボタン２２４を１秒以上押すことである。
この時、上記送信機構１の信号指示灯１２４が、素早く点滅する。
同時に、上記受信機構２の指示灯２２６も、素早く点滅する。
この時、受信機構２のチェックインボタン２２２を押して、確認する。
成功した後、送信機構１と受信機構２との指示灯１２４、２２６が、消灯する。
上記のステップが、５秒内、終了されていない場合、送信機構１と受信機構２は、元の状態に戻り、送信機構１と受信機構２との指示灯１２４、２２６が、消灯し、登録終了後、受信対象を交換しければ、再登録する必要ない。
【００２９】
（２）チェックイン：受信機構２が、オンされてから、チェックインされないと、受信できなく、チェックインする場合、点呼した後、チェックインする原則を用い、チェックインプロセスは、次のとおりである。
１、送信機構１がオンされた後、登録済んだ受信機構２を点呼し、この時、オンされた受信機構２からの返事を受けると、自動的にチェックインされ、それから、指示灯２２６が消灯する。
２、受信機構２が、点呼した後、オンされる場合、指示灯２２６の信号中断灯が点灯し、この時、チェックインボタン２２２を押して、チェックインしると、指示灯２２６が、消灯する。
３、チェックイン終了後、送信機構１と受信機構２は、マイクとスピーカー（未表示）で、放送できる。
【００３０】
（３）遭難：ユーザーが、非常状況に遭う場合、直接、受信機２の遭難ボタン２２３を押すだけ、即時に、遭難信号を、送信機構１へ伝送でき、この時、上記送信機構１から、音声警告を発して、即時救援を求める。
【００３１】
（４）照明：送信機構１や受信機構２の発光ユニット１６、２６を利用し、直接、上記スウィッチ２６２を押すと、発光体２６１は、電力が供給されて発光でき、また、スウィッチ１６２を押すと、発光体１６１は、電力が供給されて発光できる。
【００３２】
（５）送信機は、常に、各受信機の受信状況を監視制御（ｍｏｎｉｔｏｒ）でき、例えば、登録メッセージやチェックインデータ及び音声受信品質などであり、一旦、受信機の通話品質が悪くなると、受信機に対して、自動的に、次の周波数へ周波数変換することを要求する。
【００３３】
以上のように、本考案によっては、少なくとも、次の利点が得られる。
【００３４】
１、送信機構１は、即時に、各受信機構２へ音声信号を伝送でき、無線放送を実現できる。
２、受信機構２の受信機は、無線方式で、送信機構１に登録する。
３、受信機構２の受信機は、距離おバー警告機能を発揮できる。
４、送信機構１のメイン送信機は、各受信機構２の受信機の受信状況を監視制御（ｍｏｎｉｔｏｒ）できる。
５、システムは、自動的に周波数変換でき、周波数の干渉を防止できる。
６、受信機構２の遭難ボタンを押すだけで、即時に、遭難信号を、送信機構１の送信機へ送信できる。
【００３５】
上記のように、本考案の技術は、民生電子（例えば、呼び出しシステムや音声拡大システム、授業放送、無線ガイド呼び出し、監視制御システム、無線短距離音声と監視制御救援）に適合だけでなく、軍事の野外巡回監視制御、敵前無線指揮通信システム等に有利であり、また、一般の民生用途に適用できる。
【００３６】
そのため、本考案は、より進歩的かつより実用的で、法に従って実用新案登録請求を出願する。
【００３７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００３８】
１      送信機構
１１    処理モジュール
１１１  音声サンプリング／再建ユニット
１１２  ローカルエリアネットワークユニット
１１３  信号拡大ユニット
１１４  アンテナ
１２    操作部
１２１  電源スウィッチ
１２２  ミュートボタン
１２３  電源指示灯
１２４  信号指示灯
１３    入力ポート
１４    出力ポート
１５    電源ユニット
１６    発光ユニット
１６１  発光体
１６２  スウィッチ
１７    ケーシング
２      受信機構
２１    処理モジュール
２１１  音声再建ユニット
２１２  ローカルエリアネットワークユニット
２１３  アンテナ
２２    操作部
２２１  電源スウィッチ
２２２  チェックインボタン
２２３  遭難ボタン
２２４  登録ボタン
２２５  電源指示灯
２２６  信号指示灯
２３    入力ポート
２４    出力ポート
２５    電源ユニット
２６    発光ユニット
２６１  発光体
２６２  スウィッチ
２７    ケーシング
【図１】
0003174124.tif 000003
【図２】
0003174124.tif 000004
【図３】
0003174124.tif 000005
【図４】
0003174124.tif 000006
【手続補正書】
【提出日】平成23年12月27日(2011.12.27)
【手続補正１】
【補正対象書類名】明細書
【補正対象項目名】００１０
【補正方法】変更
【補正の内容】
【００１０】
本考案の一実施例において、上記送信機構の処理モジュールのローカルエリアネットワークユニットは、ＺｉｇＢｅｅ（登録商標）チップである。
【手続補正２】
【補正対象書類名】明細書
【補正対象項目名】００１１
【補正方法】変更
【補正の内容】
【００１１】
本考案の一実施例において、上記送信機構の処理モジュールのアンテナは、ＺｉｇＢｅｅ（登録商標）アンテナである。
【手続補正３】
【補正対象書類名】明細書
【補正対象項目名】００１９
【補正方法】変更
【補正の内容】
【００１９】
本考案の一実施例において、上記受信機構の処理モジュールは、ローカルエリアネットワークユニットが、ＺｉｇＢｅｅ（登録商標）チップである。
【手続補正４】
【補正対象書類名】明細書
【補正対象項目名】００２０
【補正方法】変更
【補正の内容】
【００２０】
本考案の一実施例において、上記受信機構の処理モジュールは、アンテナが、ＺｉｇＢｅｅ（登録商標）アンテナである。
【手続補正５】
【補正対象書類名】明細書
【補正対象項目名】００２５
【補正方法】変更
【補正の内容】
【００２５】
上記送信機構１は、処理モジュール１１や処理モジュール１１に接続された操作部１２、処理モジュール１１に接続された入力ポート１３、処理モジュール１１に接続された出力ポート１４、処理モジュール１１に接続された電源ユニット１５及び処理モジュール１１に接続された発光ユニット１６が含有され、上記送信機構１は、更に、ケーシング１７を有し、上記処理モジュール１１や操作部１２、入力ポート１３、出力ポート１４、電源ユニット１５及び発光ユニット１６が、上記ケーシング１７に結合され、また、上記処理モジュール１１は、音声サンプリング／再建ユニット１１１や音声サンプリング／再建ユニット１１１に接続されたローカルエリアネットワークユニット１１２、ローカルエリアネットワークユニット１１２に接続された信号拡大ユニット１１３及び信号拡大ユニット１１３に接続されたアンテナ１１４が含有され、また、上記音声サンプリング／再建ユニット１１１とローカルエリアネットワークユニット１１２が、同期に直列接続インターフェース（ＳＰＩ）によって互いに接続され、上記ローカルエリアネットワークユニット１１２は、ＺｉｇＢｅｅ（登録商標）チップで、上記アンテナ１１４は、ＺｉｇＢｅｅ（登録商標）アンテナであり、また、上記操作部１２は、電源スウィッチ１２１やミュートボタン１２２、電源指示灯１２３及び信号指示灯１２４が含有され、また、上記発光ユニット１６は、発光体１６１とスウィッチ１６２を有し、上記発光体１６１が、ＬＥＤやバブルである。
【手続補正６】
【補正対象書類名】明細書
【補正対象項目名】００２６
【補正方法】変更
【補正の内容】
【００２６】
各受信機構２は、送信機構１に連結され、処理モジュール２１や処理モジュール２１に接続された操作部２２、処理モジュール２１に接続された入力ポート２３、処理モジュール２１に接続された出力ポート２４、処理モジュール２１に接続された電源ユニット２５及び処理モジュール２１に接続された発光ユニット２６が含有され、上記受信機構２は、更に、ケーシング２７を有し、上記処理モジュール２１や操作部２２、入力ポート２３、出力ポート２４、電源ユニット２５及び発光ユニット２６が、ケーシング２７に結合され、上記処理モジュール２１は、音声再建ユニット２１１や音声再建ユニット２１１に接続されたローカルエリアネットワークユニット２１２及びローカルエリアネットワークユニット２１２に接続されたアンテナ２１３が含有され、また、上記音声再建ユニット２１１とローカルエリアネットワークユニット２１２は、同期に、直列接続インターフェース（ＳＰＩ）によって互いに接続され、上記ローカルエリアネットワークユニット２１２が、ＺｉｇＢｅｅ（登録商標）チップで、上記アンテナ２１３が、ＺｉｇＢｅｅ（登録商標）アンテナであり、また、上記操作部２２は、電源スウィッチ２２１やチェックインボタン２２２、遭難ボタン２２３、登録ボタン２２４、電源指示灯２２５及び信号指示灯２２６が含有され、また、上記発光ユニット２６は、発光体２６１とスウィッチ２６２が含有され、また、上記発光体２６１は、ＬＥＤやバブルである。
【手続補正７】
【補正対象書類名】実用新案登録請求の範囲
【補正対象項目名】請求項５
【補正方法】変更
【補正の内容】
【請求項５】
上記ローカルエリアネットワークユニットは、ＺｉｇＢｅｅ（登録商標）チップであることを特徴とする請求項３に記載の手持ち式無線音声放送と照明遭難監視制御装置。
【手続補正８】
【補正対象書類名】実用新案登録請求の範囲
【補正対象項目名】請求項６
【補正方法】変更
【補正の内容】
【請求項６】
上記アンテナは、ＺｉｇＢｅｅ（登録商標）アンテナであることを特徴とする請求項３に記載の手持ち式無線音声放送と照明遭難監視制御装置。